(57)【要約】【課題】プリペイド式のＩＣカードを用いた料金収受処理の効率化を図る。【解決手段】カードに書き込まれた料金収受制御情報を読み取り、読み取った料金収受制御情報に基づき残額過小警告および利用証明書発行の少なくともいずれかの要否の判断および判断結果に基づく処理を行う。カードに書き込まれた料金収受制御情報に基づいて処理の要否が判断されることから、料金収受処理の効率化が図られる。また、残額過小警告を受けた利用者がカードへの金額の積み増しを行うことで、カードの残額が過小のためにカードによる利用料金の支払いが行えない事態を回避することが可能となり、料金収受処理の効率化が図られる。【選択図】      図３
2004178104.tif 000002
【特許請求の範囲】
【請求項１】
道路の利用料金の収受に使用可能な残額と、残額過小警告の要否を表す残額過小警告要否情報および利用証明書発行の要否を表す利用証明書発行要否情報の少なくともいずれかを含む料金収受制御情報と、をカードから読み取るカード読取部と、
利用料金を算出する利用料金算出部と、
前記カード読取部によって読み取られた残額と前記利用料金算出部によって算出された利用料金とに基づき、利用料金収受後の残額を算出する残額算出部と、前記残額算出部によって算出された残額、および前記カード読取部によって読み取られた料金収受制御情報に基づき、残額過小警告および利用証明書発行の少なくともいずれかの要否を判断する判断部と、
前記判断部によって残額過小警告が必要と判断された場合に残額過小警告を行う警報部および前記判断部によって利用証明書発行が必要と判断された場合に利用証明書発行を行う利用証明書発行部の少なくともいずれかを有する処理部と、を具備することを特徴とする料金収受装置。
【請求項２】
前記カード読取部が、前記カードから残額過小警告の基準となる残額過小警告金額を読み取り、
前記判断部が、前記残額過小警告金額と前記残額算出部によって算出された残額とを比較して、残額過小警告の要否を判断する
ことを特徴とする請求項１記載の料金収受装置。
【請求項３】
前記料金収受装置が、利用証明書の発行を行うことを表す利用証明書発行情報を入力する入力部をさらに具備し、
前記入力部から入力された利用証明書発行情報に基づき、前記利用証明書発行部が利用証明書の発行を行う
ことを特徴とする請求項１記載の料金収受装置。
【請求項４】
残額が過小であることを警告する残額過小警告の要否を表す残額過小警告要否情報および道路の利用証明書発行の要否を表す利用証明書発行要否情報の少なくともいずれかを含む料金収受制御情報と、をカードに書き込むカード書込部と、
道路の利用料金の収受に使用可能な残額と、残額過小警告要否情報および利用証明書発行要否情報の少なくともいずれかを含む料金収受制御情報と、をカードから読み取るカード読取部と、
利用料金を算出する利用料金算出部と、
前記カード読取部によって読み取られた残額と前記利用料金算出部によって算出された利用料金とに基づき、利用料金収受後の残額を算出する残額算出部と、前記残額算出部によって算出された残額、および前記カード読取部によって読み取られた料金収受制御情報に基づき、残額過小警告および利用証明書発行の少なくともいずれかの要否を判断する判断部と、
前記判断部によって残額過小警告が必要と判断された場合に残額過小警告を行う警報部および前記判断部によって利用証明書発行が必要と判断された場合に利用証明書発行を行う利用証明書発行部の少なくともいずれかを有する処理部と、を具備することを特徴とする料金収受システム。
【請求項５】
残額が過小であることを警告する残額過小警告の要否を表す残額過小警告要否情報および道路の利用証明書発行の要否を表す利用証明書発行要否情報の少なくともいずれかを含む料金収受制御情報をカードに書き込むカード書込ステップと、
道路の利用料金の収受に使用可能な残額と、残額過小警告要否情報および利用証明書発行要否情報の少なくともいずれかを含む料金収受制御情報と、をカードから読み取るカード読取ステップと、
利用料金を算出する利用料金算出ステップと、
前記カード読取部によって読み取られた残額と前記利用料金算出部によって算出された利用料金とに基づき、利用料金収受後の残額を算出する残額算出ステップと、
前記残額算出ステップで算出された残額、および前記カード読取ステップで読み取られた料金収受制御情報に基づき、残額過小警告および利用証明書発行の少なくともいずれかの要否を判断する判断ステップと、
前記判断ステップで残額過小警告が必要と判断された場合に残額過小警告を行う警報ステップおよび前記判断ステップで利用証明書発行が必要と判断された場合に利用証明書発行を行う利用証明書発行ステップの少なくともいずれかを有する処理ステップと、
を具備することを特徴とする料金収受方法。
【発明の詳細な説明】
【０００１】
【発明の属する技術分野】
本発明は、例えば有料道路等でカードを用いて利用料金を収受する料金収受装置、料金収受システム、および料金収受方法に関する。
【０００２】
【従来の技術】
有料道路等を利用する利用料金の収受を行う料金収受システムが用いられている。料金収受システムでは、キャッシュレス化が進められ、プリペイド方式（前納支払い方式）、ポストペイ方式（後納支払い方式）、クレジット方式（クレジット支払い方式）等種々の支払い方式が用いられている。
プリペイド方式の料金収受システムとして、事前に支払った金額を記憶させた磁気記録方式のカードを利用することができる。また、ＥＴＣシステムでは車両に設置された車載装置と料金所に設置された車線制御装置とが無線通信を行うことで、プリペイド方式、ポストペイ方式、クレジット方式それぞれでの料金収受を実現できる。
【０００３】
このような料金収受の際に利用者の必要に応じて利用証明書が発行される。例えば、磁気記録方式のプリペイドカードシステムでは、自動的に利用証明書を発行する。利用者が発行を希望しない場合には、利用証明書不要釦を操作して利用証明書の発行を停止できる。また、ＥＴＣシステムでは、ＩＣカードリーダと印字装置（プリンタ等）を用いるか、あるいは有人で処理を行うことで利用証明書が発行される。
磁気記録方式のプリペイドカードは、記録容量の制約などから、ＩＣカードによるプリペイドカードシステムに切り替わっていくことが予定される。ＩＣカードには接触型と非接触型が存在するが、かざすだけでリード・ライトができる利便性や、接触部が無いため信頼性向上が見込める非接触型のＩＣカードが主流になるものと予想される。このため、ＩＣカードを用い利用証明書の発行を行う料金収受システムの開発が進められている（特許文献１参照）。
【０００４】
【特許文献１】
特開２０００−２０７７５
【０００５】
【発明が解決しようとする課題】
しかしながら、料金の収受の際に、利用証明書の受け取りや利用証明書発行不要の操作をその場で行うとすると、その分手間が必要になる。この結果、非接触ＩＣカードの採用により「かざすだけ」で料金の収受ができる利点が損なわれ、利用者に対する利便性の向上、サービスタイムの短縮の足かせとなるおそれがある。
また、プリペイド方式のＩＣカードで残額が残り少なくなると、ＩＣカードでの支払いが行えなくなり、料金収受処理が速やかに行えなくなる。
以上に鑑み本発明は、利用証明書発行の効率化、ＩＣカードによる処理の確実化等により、プリペイド式のＩＣカードを用いた料金収受処理の効率化を図ることができる料金収受装置、料金収受システム、および料金収受方法を提供することを目的とする。
【０００６】
【課題を解決するための手段】
Ａ．上記目的を達成するために本明に係る料金収受装置は、道路の利用料金の収受に使用可能な残額と、残額過小警告の要否を表す残額過小警告要否情報および利用証明書発行の要否を表す利用証明書発行要否情報の少なくともいずれかを含む料金収受制御情報と、をカードから読み取るカード読取部と、利用料金を算出する利用料金算出部と、前記カード読取部によって読み取られた残額と前記利用料金算出部によって算出された利用料金とに基づき、利用料金収受後の残額を算出する残額算出部と、前記残額算出部によって算出された残額、および前記カード読取部によって読み取られた料金収受制御情報に基づき、残額過小警告および利用証明書発行の少なくともいずれかの要否を判断する判断部と、前記判断部によって残額過小警告が必要と判断された場合に残額過小警告を行う警報部および前記判断部によって利用証明書発行が必要と判断された場合に利用証明書発行を行う利用証明書発行部の少なくともいずれかを有する処理部と、を具備することを特徴とする。
【０００７】
カードに書き込まれた料金収受制御情報（残額過小警告要否情報および利用証明書発行要否情報のいずれかを含む）を読み取り、読み取った料金収受制御情報に基づき残額過小警告および利用証明書発行の少なくともいずれかの要否の判断および判断結果に基づく処理（残額過小警告および利用証明書発行のいずれか）を行う。カードに書き込まれた料金収受制御情報に基づいて処理の要否が判断されることから、料金収受処理の効率化が図られる。また、残額過小警告を受けた利用者がカードへの金額の積み増しを行うことで、カードの残額が過小のためにカードによる利用料金の支払いが行えない事態を回避することが可能となり、料金収受処理の効率化が図られる。
【０００８】
（１）ここで、前記カード読取部が、前記カードから残額過小警告の基準となる残額過小警告金額を読み取り、前記判断部が、前記残額過小警告金額と前記残額算出部によって算出された残額とを比較して、残額過小警告の要否を判断してもよい。
残額過小警告金額と前記残額算出部によって算出された残額とを比較することで、残額過小警告の要否を確実に判定できる。
【０００９】
（２）前記料金収受装置が、利用証明書の発行を行うことを表す利用証明書発行情報を入力する入力部をさらに具備し、前記入力部から入力された利用証明書発行情報に基づき、前記利用証明書発行部が利用証明書の発行を行ってもよい。
カードに「利用証明書不要」と記録されていた場合においても必要に応じて利用証明書の発行を受けることが可能となる。
【００１０】
【発明の実施の形態】
以下、図面を参照して本発明の実施の形態を詳細に説明する。
図１は本発明の一実施形態である有料道路の料金収受システム１の全体構成の一例を表すブロック図である。
本図に示すように、料金収受システム１は、有料道路の入口（入口料金所）に設置される入口システム１０と、有料道路の出口（出口料金所）に設置される出口システム２０と、これら入口システム１０、および出口システム２０と通信回線３０を介して接続されたホストコンピュータ等の上位装置４０とから構成され、ＩＣプリペイドカード（以下、「ＩＣカード」という）５０を利用して車両が有料道路を通行した際の利用料金の収受を行うことができる。
【００１１】
入口システム１０、出口システム２０には、料金収受機６０が設置され、ＩＣカード５０による利用料金の支払いが可能となっている。利用料金が定額の場合には、入口システム１０に設置された料金収受機６０に利用者がＩＣカード５０をかざすことで（非接触で）利用料金の支払いを行える。また、利用料金が入口料金所と出口料金所の距離等によって変化する場合には、出口システム２０に設置された料金収受機６０に利用者がＩＣカード５０をかざすことで（非接触で）利用料金の支払いを行える。これらの支払いの際に、必要に応じて利用証明書の発行、残高過小警告を受けることになる。
上位装置４０は、入口システム１０、および出口システム２０からの情報に基づく総合的な処理を行う。
【００１２】
また、ＩＣカード５０の発行および金額の積み増し（増額）を行うＩＣカード発行機７０（または、金額の積み増しのみを行うＩＣカード積み増し機８０）が料金所事務所や料金所以外（例えば、コンビニエンスストア）に設置されている。ＩＣカード発行機７０、ＩＣカード積み増し機８０は、利用者の操作により、「利用証明書発行の要否」「残額過小警告金額（残額過小警告の基準金額）」などの「料金収受制御情報」を入力し、ＩＣカード５０に記録する機能を持つ。
【００１３】
（ＩＣカード５０の内部構成）
ＩＣカード５０は、情報を保持し、この情報の記録、再生（書き込み、読み出し）を行なうことができる。この記録、再生は無線等を用いた非接触式で行うことができる。
図２は、ＩＣカード５０の内部構成の一例を表すブロック図である。
ＩＣカード５０は，外部インタフェース部５１、演算処理部５２，データ蓄積部５３から構成される。
【００１４】
外部インタフェース部５１は、料金収受機６０、ＩＣカード発行機７０，ＩＣカード積み増し機８０との情報の入出力を行う入出力機構を有する。
演算処理部５２は、いわゆる中央処理装置（Ｃｅｎｔｒａｌ  Ｐｒｏｃｅｓｓｉｎｇ  Ｕｎｉｔ）であり、外部インタフェース部５１とデータ蓄積部５３における処理を制御する。
データ蓄積部５３は、情報を記憶するメモリ等の記憶（記録）手段である。
【００１５】
図３は、データ蓄積部５３の記録内容を表す図である。データ蓄積部５３には、「発行情報」、「残額情報」、「最新利用情報」、「利用履歴情報」、「料金収受制御情報」の記録エリアがある。なお、図３では、便宜的に記録エリア毎に記録内容を（Ａ）〜（Ｅ）に区分して表している。
「発行情報」は、発行事業者、発行年月日、一連番号などＩＣカード５０の発行に関する情報を記録するエリアである（図３（Ａ））。
「残額情報」は、入金額から通行料金を引き去った後の利用料金として利用可能な残額を記録するエリアである（図３（Ｂ））。
「最新利用情報」は、最後にＩＣカード５０を利用したときの利用年月日、利用場所、利用額などの利用情報を記録するエリアである（図３（Ｃ））。
「利用履歴情報」は、ＩＣカード５０を以前に利用したとき（最後の利用時を除く）の利用年月日、利用場所、利用額などの利用履歴に関する情報を記録するエリアである（図３（Ｄ））。
【００１６】
「料金収受制御情報」のエリアは、「利用証明書発行情報」、「残高過小警告情報」のエリアに区分される。「利用証明書発行情報」は、利用証明書発行の要否を表す「利用証明書発行要否」、発行する際の所定の印字項目の要否を表す「印字項目１」〜「印字項目３」等の利用証明書の発行に関する情報が記録されるエリアである。「印字項目１」〜「印字項目３」には、これらに対応して印字項目が定められ、これらの項目の印字の有無がこれらの印字項目として記録される（例えば、そのＯＮ／ＯＦＦで印字の有無を表すフラグを「印字項目１」〜「印字項目３」に用いることができる）。印字項目には、例えば、▲１▼利用料金（引き去り額）のみ、▲２▼利用料金および残額、▲３▼利用履歴印字後の利用履歴等が考えられる。「残高過小警告情報」は、残高過小警告の要否の要否を表す「残高過小警告要否」、残高過小警告を行う際の基準金額を表す「残高過小警告金額」等の残高過小警告に関する情報を記録するエリアである。
【００１７】
データ蓄積部５３には入口インターチェンジ（ＩＣ）、入口レーン等の入口情報、および入口通過日時、車種等の入口車両情報、即ちＩＣカード５０が通行券として機能するための情報をも記憶することができる。車両が道路を通行した距離で料金が定まる場合には、入口システム１０でＩＣカード５０に入口情報を書き込んでおき、出口システム２０でＩＣカード５０に記録された入口情報を読み取ることで利用料金を算出できる。
【００１８】
図４は、料金収受機６０の構成を表すブロック図である。
本図に示すように料金収受機６０は、制御部６１、操作部６２、表示部６３、利用証明書発行機６４、ＩＣカードリーダ・ライタ６５、ブザー６６、通行券処理機６７から構成され、現金、回数券、ＩＣカード５０のいずれかを用いて通行料金の収受を行う。
【００１９】
制御部６１は、中央演算装置たるＣＰＵ（ｃｅｎｔｒａｌ  ｐｒｏｃｅｓｓｉｎｇ  ｕｎｉｔ）６１１、記憶部たるメモリ６１２、外部機器制御のためのＩ／Ｏ制御部６１３などから構成され、料金収受機６０全体の制御を行う。
操作部６２は、情報入力のためのタッチパネル、キーボード、マウス等の入力装置である。
表示部６３は、収受結果や料金収受機の状況などを表示するためのＣＲＴ（陰極線管）、ＬＣＤ（液晶表示装置）等の表示装置である。
利用証明書発行機６４は、プリペイドカードでの支払い者（ＩＣカードの利用者）に対して利用証明書を発行したり、現金での支払い者に対して領収書を発行したりするためのプリンタ等の印字装置である。
ＩＣカードリーダ・ライタ６５は、ＩＣカード５０無線等に非接触での情報の読み取りおよび書きこみを行う装置である。
ブザー６６は、異常などを通知するための警報機であり、残額過小警告の際に用いられる。
通行券処理機６７は、通行券を処理する装置であり、入口で通行券を渡すシステムの場合のみ接続される。
【００２０】
図５は、ＩＣカード発行機７０の構成を表すブロック図である。
本図に示すようにＩＣカード発行機７０は制御部７１、操作部７２、表示部７３、ＩＣカードリーダ・ライタ７４，ＩＣカード蓄積部７５，ブザー７６から構成され、利用者の操作により、「利用証明書発行の要否」ｌ、「残額過小警告の金額」などの「料金収受制御情報」の入力を受付、ＩＣカード５０に記録する機能を持つ。
【００２１】
制御部７１は、中央演算装置たるＣＰＵ（ｃｅｎｔｒａｌ  ｐｒｏｃｅｓｓｉｎｇ  ｕｎｉｔ）７１１、記憶部たるメモリ７１２、外部機器制御のためのＩ／Ｏ制御部７１３などから構成され、ＩＣカード発行機７０全体の制御を行う。
操作部７２は、情報入力のためのタッチパネル、キーボード、マウス等の入力装置である。
表示部７３は、発行情報や発行結果などを表示するためのＣＲＴ（陰極線管）、ＬＣＤ（液晶表示装置）等の表示装置である。
ＩＣカードリーダ・ライタ７４は、ＩＣカード５０に情報の読み取りおよび書きこみを行う装置である。
ＩＣカード蓄積部７５は、未発行のＩＣカード５０を蓄積するための蓄積部である。ＩＣカード５０は、ＩＣカード蓄積部７５からＩＣカードリーダ・ライタ７４を経由して必要な情報を書き込まれて発行される。
ブザー７６は、異常などを通知するための警報機である。
なお、ＩＣカード積み増し機８０は、ＩＣカード蓄積部７５を必要としない以外は、基本的には同じ構造であるため、説明を省略する。
【００２２】
以下、ＩＣカード発行機７０におけるＩＣカード５０への「料金収受制御情報」の記録処理と、料金収受機６０におけるＩＣカード５０への料金収受処理に区分して、説明する。
【００２３】
図６、７は、ＩＣカード発行機７０におけるＩＣカード５０への「料金収受制御情報」の記録処理の流れを表すフロー図である。図６、７は全体として１つのフロー図を表している。
（１）ＩＣカード発行機では、「ＩＣカード発行」、「金額積み増し」、「料金収受制御情報入力」などの項目が表されたメニューを表示部６３に表示し、利用者が操作部６２によりいずれかの項目を選択するのを待ち受ける（ステップＳ１０１、Ｓ１０２）。
【００２４】
（２）操作部７２によって「料金収受制御情報入力」が選択されると、「利用証明書発行要否」、「残額過小警告要否」などのサブメニューを表示する（ステップＳ１０３）。なお、この際に、ＩＣカード５０から料金収受制御情報を読み取り、サブメニュー中に現状の設定状態（料金収受制御の状態）を併せて表示してもよい。このようにすると、利用者が現状の設定状態を確認して、新たな設定の要否を的確に判断できる。
一方、メニューから「ＩＣカード発行」、「金額積み増し」が選択された場合には、これらの項目に応じた処理が行われる（ステップＳ１０２、Ｓ１０４）。
【００２５】
（３）操作部６２によって、ステップＳ１０３で表示されたサブメニューから「利用証明書発行要否」が選択されると、「利用証明書発行必要」と「利用証明書発行不要」の選択待ち受け画面（利用証明書発行要否選択画面）が表示される（ステップＳ１０５、Ｓ１０６）。
【００２６】
▲１▼操作部６２によって、利用証明書発行要否選択画面から「利用証明書必要」が入力されると、ＩＣカードリーダ・ライタ６５に対して「料金収受制御情報」の「利用証明書発行要否」に「必要」の情報と「書きこみ要求」を送信する（ステップＳ１０７、Ｓ１０８）。なお、必要に応じて利用証明書の「印字項目」が入力され、選択された「印字項目」を表す情報が「必要」の情報と併せて送信される。
【００２７】
▲２▼一方、操作部６２によって、利用証明書発行要否選択画面から「利用証明書不要」が入力されると、ＩＣカードリーダ・ライタ６５に対して「料金収受制御情報」の「利用証明書発行要否」に「不要」の情報と「書きこみ要求」を送信する（ステップＳ１０７、Ｓ１０９）。
【００２８】
（４）操作部６２によって、ステップＳ１０３で表示されたサブメニューから「残額過小警告要否」が選択されると、「残額過小警告必要」と「残額過小警告不要」の選択待ち受け画面（残額過小警告要否選択画面）が表示される（ステップＳ１０５、Ｓ１１０）。
【００２９】
▲１▼操作部６２によって、残額過小警告要否選択画面から「残額過小警告必要」が入力されると、「残額過小警告金額入力待ち」の画面を表示し（ステップＳ１１１、Ｓ１１２）、操作部６２から残高過小警告金額が入力されると（ステップＳ１１３）、ＩＣカードリーダ・ライタに対して「残額過小警告要否」の「必要」の情報、「残額過小警告金額」の情報、「書きこみ要求」を送信する（ステップＳ１１４）。
【００３０】
▲２▼一方、操作部６２によって、残額過小警告要否選択画面から「残額過小警告不要」が入力されると、ＩＣカードリーダ・ライタ６５に対して「料金収受制御情報」の「残額過小警告要否」に「不要」の情報と「書きこみ要求」を送信する（Ｓ１１５）。
【００３１】
（５）ＩＣカードリーダ・ライタ６５は、ＩＣカード５０が通信可能エリアに接近するのを待ち（ステップＳ１１６）、ＩＣカード５０が一定時間内に通信可能エリアに接近してきた場合には、ＩＣカード５０に対して「利用証明書発行要否」情報、「印字項目」情報、「残高過小警告要否」情報、「残額過小警告金額（基準金額）」情報を書きこむ（ステップＳ１１７，Ｓ１１８）。
もし、ステップＳ１１６で一定時間内に非接触ＩＣカード５０が通信可能エリアに接近しなかった場合にはタイムアウト（所定時間の経過）を表示し（ステップＳ１１９，Ｓ１２０）、「継続」か「中止」の選択を可能とする。
タイムアウトの表示から、「継続」が選択された場合には再度ＩＣカード５０が通信可能エリアに接近するのを待つ（ステップＳ１１６）。またタイムアウトの表示から「中止」が選択された場合には、ステップＳ１０３のサブメニュー表示に戻る。
なお、ＩＣカード積み増し機８０での「料金収受制御情報」の記録処理の流れは、ＩＣカード発行機７０と同等であるので、説明を省略する。
【００３２】
図８は、料金収受機６０におけるＩＣカード５０への料金収受処理の流れを表すフロー図である。
（１）料金収受機６０では、動作を開始すると、料金収受方法選択画面を表示し収受方法が選択されるのを待つ（ステップＳ２０１）。
ここで、現金や回数券の処理が選択されず、ＩＣカード５０がＩＣカードリーダ・ライタ６５の通信エリアに接近してきた場合には（ステップＳ２０２）、ＩＣカード５０の情報を読み出す（ステップＳ２０３）。
ＩＣカード５０から読み出した「残額」から通行料金を減算して新たな「残額」を算出し（ステップＳ２０４）、利用年月日、利用場所、利用金額などを新たな「利用履歴情報」として編集し（ステップＳ２０５）、ＩＣカードリーダ・ライタ６５に対して「残額情報」、「最新利用情報」、および「利用履歴情報」と「書きこみ要求」を送信し（ステップＳ２０６）、ＩＣカード５０の「残額情報」と「利用履歴情報」を更新する（ステップＳ２０７）。ステップＳ２０７での書きこみが正常に終了したら、料金収受機６０に記憶されたＩＣカード処理集計を更新する（ステップＳ２０８）。
【００３３】
（２）そして、ステップＳ２０３でＩＣカード５０から読み出した「利用証明書発行要否」が「必要」であれば、利用証明書の内容の編集を行い、利用証明書を発行する（ステップＳ２０９〜Ｓ２１１）。
ステップＳ２０３で読み出された「利用証明書発行要否」が「不要」であれば、表示部６３に「利用証明書発行無し」と表示すると共に、「利用証明書発行」ボタンを表示する。そして、操作部６２で「利用証明書発行」ボタンを入力することで、利用証明書の編集、発行を行う（ステップＳ２１０〜Ｓ２１３）。即ち、ＩＣカード５０の「利用証明書発行要否」が「不要」の場合でも、必要に応じて利用証明書を発行させることができる。ここで、「利用証明書発行」ボタンの入力が所定時間行われないときに次のステップＳ２１４に自動的に進むようにしておけば、利用者が利用証明書の発行を必要としないとき、操作部６２での入力をする必要はない。
【００３４】
（３）ステップＳ２０３でＩＣカード５０から読み出した「残額過小警告要否」が「必要」であり、かつステップＳ２０４で算出した新たな残額が、Ｓ２０３で読み出した「残額過小警告金額」を下回っていた場合には、その旨の表示およびブザー鳴動を行い（ステップＳ２１４，Ｓ２１５）、ステップＳ２０１に戻って収受方法選択画面を表示する。
以上の料金収受処理は、収受員が操作する有人機、利用者が自ら操作する自動機のいずれでも本質的に同様である。
【００３５】
【発明の効果】
以上説明したように、本発明によれば料金収受処理の効率化を図ることができる料金収受装置、料金収受システム、および料金収受方法を提供することができる。
【図面の簡単な説明】
【図１】本発明の一実施形態である有料道路の料金収受システムの全体構成の一例を表すブロック図である。
【図２】ＩＣカードの内部構成の一例を表すブロック図である。
【図３】ＩＣカードのデータ蓄積部の記録内容を表す図である。
【図４】料金収受機の構成を表すブロック図である。
【図５】ＩＣカード発行機の構成を表すブロック図である。
【図６】ＩＣカード発行機におけるＩＣカードへの「料金収受制御情報」の記録処理の流れの一部を表すフロー図である。
【図７】ＩＣカード発行機におけるＩＣカードへの「料金収受制御情報」の記録処理の流れの一部を表すフロー図である。
【図８】料金収受機におけるＩＣカードへの料金収受処理の流れを表すフロー図である。
【符号の説明】
１…料金収受システム、１０…入口システム、２０…出口システム、３０…通信回線、４０…上位装置、５０…ＩＣカード、５１…外部インタフェース部、５２…演算処理部、５３…データ蓄積部、６０…料金収受機、６１…制御部、６１１…ＣＰＵ、６１２…メモリ、６１３…Ｉ／Ｏ制御部、６２…操作部、６３…表示部、６４…利用証明書発行機、６５…カードリーダ・ライタ、６６…ブザー、６７…通行券処理機、７０…ＩＣカード発行機、７１…制御部、７１１…ＣＰＵ、７１２…メモリ、７１３…Ｉ／Ｏ制御部、７２…操作部、７３…表示部、７４…ＩＣカードリーダ・ライタ、７５…カード蓄積部、７６…ブザー、８０…ＩＣカード積み増し機
【図１】
2004178104.tif 000003
【図２】
2004178104.tif 000004
【図３】
2004178104.tif 000005
【図４】
2004178104.tif 000006
【図５】
2004178104.tif 000007
【図６】
2004178104.tif 000008
【図７】
2004178104.tif 000009
【図８】
2004178104.tif 000010